(57)【特許請求の範囲】
【請求項１】
少なくとも１台のエレベータ（１．１、１．２）を有するエレベータ設備（１）の使用可能性を自動的に検査する方法であって、エレベータ設備の少なくとも一つの試験を実施するための少なくとも一つの予め決められたコマンドが、エレベータ設備（１）に与えられるステップと、エレベータ設備の少なくとも一つの反応（Ｒ）が、登録されてエレベータ設備（１）の所望の反応（Ｒｓ）と比較されるステップとを含み、エレベータ設備の使用可能の場合の試験が、所望の反応（Ｒｓ）をもたらし、
第１の時間期間中のエレベータの使用頻度に関する第１の予測値（Ｎｓ（ｉ，ｔ））が、確認されること、および／または第１の時間期間より後の瞬間から始まる第２の時間期間中の使用頻度に関する第２の予測値（Ｎｓ（ｉ，ｔ＋Δｔ））が、確認されることと、第１の時間期間中の使用頻度に関する測定値（Ｎｍ（ｉ，ｔ））が、決定されることと、測定値（Ｎｍ（ｉ，ｔ））が、予測値（Ｎｓ（ｉ，ｔ）、Ｎｓ（ｉ，ｔ＋Δｔ））のうちの少なくとも一つと比較され、測定値（Ｎｍ（ｉ，ｔ））が、それぞれの予測値（Ｎｓ（ｉ，ｔ）、Ｎｓ（ｉ，ｔ＋Δｔ））よりも予め決められた量（Ｎｓ（ｉ，ｔ）−Ｎｍｉｎ（ｉ，ｔ）、ΔＮｓ）だけ小さいときに、試験を実施するためのコマンドが与えられることとを特徴とする、方法。
【請求項２】
エレベータ（１．１、１．２）の各反応（Ｒ）および／または使用が、
・  ケージドア（６．１、６．２）および／または昇降路ドア（４．１、４．２、４．３、４．４、４．５、４．６）の作動の登録、および／または、
・  エレベータ設備の駆動装置（１０．１、１０．２）の状態の変化の登録、および／または、
・  ブレーキの作動の登録、および／または、
・  エレベータ設備の構成要素の制御のための信号の登録、および／または、
・  エレベータ（１．１、１．２）のケージ（５．１、５．２）の位置の検出、
によって登録されることを特徴とする、請求項１に記載の方法。
【請求項３】
時間間隔の継続時間が予め決められていて、前記時間間隔中に登録されるエレベータの使用回数が決定されること、またはエレベータの使用回数が予め決められていて、エレベータの使用が登録される時間間隔の継続時間が決定され、それぞれの回数とそれぞれの継続時間とから測定値が計算されることを特徴とする、請求項１または２に記載の方法。
【請求項４】
第１の時間期間（ΔＴ（ｉ））中の使用頻度に関する第１の予測値（Ｎｓ（ｉ，ｔ））と測定値（Ｎｍ（ｉ，ｔ））が決定されて、第２の時間期間（ΔＴ（ｉ＋１））中の使用頻度に関する第２の予測値（Ｎｓ（ｉ＋１，ｔ））が、
（ｉ）もし第１の予測値と測定値とが、予め決められた量以下の量だけ異なれば、第１の予測値と同じ値に設定され、または、
（ｉｉ）もし測定値が、予め決められた量より大きい量だけ第１の予測値より小さければ、第１の予測値より小さい値に設定され、または、
（ｉｉｉ）もし測定値が、予め決められた量より大きい量だけ第１の予測値より大きければ、第１の予測値より大きい値に設定されることを特徴とする、請求項１から３のいずれか一項に記載の方法。
【請求項５】
エレベータ設備の少なくとも一つの試験を実施するためのコマンドが、ケージ呼出し、メモリ呼出し、および／または走行コマンドを含むことを特徴とする、請求項１から４のいずれか一項に記載の方法。
【請求項６】
所望の反応（Ｒｓ）が、
昇降路ドア（４．１、４．２、４．３、４．４、４．５、４．６）の開閉、および／または、
ケージドア（６．１、６．２）の開閉、および／または、
予め決められた一つの階から予め決められたもう一つの階へのケージ（５．１、５．２）の走行を含むことを特徴とする、請求項１から５のいずれか一項に記載の方法。
【請求項７】
もしエレベータ設備の反応（Ｒ）が、所望の反応（Ｒｓ）と一致しなければ、予め決められた情報が、例えば監視センタ（５０）に伝達されることを特徴とする、請求項１から６のいずれか一項に記載の方法。
【請求項８】
少なくとも一つのエレベータ（１．１、１．２）のためのエレベータ制御装置（１５．１、１５．２）を有するエレベータ設備（１）の使用可能性の自動検査のための装置（３０、３０．１、３０．２）であって、
エレベータ設備の少なくとも一つの試験を実施するための予め決められたコマンドを、エレベータ制御装置（１５．１、１５．２）に与えることができるコマンド送信器（Ｐ１、Ｐ２）を備え、エレベータ設備（１）の使用可能の場合に、エレベータ設備の所望の反応（Ｒｓ）が登録できるように試験が選択され、前記エレベータ設備（１）の使用可能性の自動検査のための装置がさらに、
エレベータ設備（１）のコマンドにしたがう反応（Ｒ）の登録のための登録装置（２１．ｘ、２２．１、２４．１、２５．１、２６．１、２７．１、２８．１）と、
反応（Ｒ）を所望の反応（Ｒｓ）と比較するための装置とを備え、
前記エレベータ設備（１）の使用可能性の自動検査のための装置が、第１の時間期間中のエレベータの使用頻度に関する第１の予測値（Ｎｓ（ｉ，ｔ））を決定し、かつ／または第２の時間期間中の使用頻度に関する第２の予測値（Ｎｓ（ｉ，ｔ＋Δｔ））を決定するための装置（Ｐ１、Ｍ１２、Ｐ２、Ｍ２２）と、第１の時間期間中の使用頻度に関する測定値（Ｎｍ（ｉ，ｔ））を決定するための測定装置（Ｐ１，Ｍ１３、Ｐ２，Ｍ２３）と、測定値（Ｎｍ（ｉ，ｔ））が、それぞれの予測値（Ｎｓ（ｉ，ｔ））、（Ｎｓ（ｉ，ｔ＋Δｔ））のうちの一つよりも予め決められた量（Ｎｓ（ｉ，ｔ）−Ｎｍｉｎ（ｉ，ｔ）、ΔＮｓ）だけ小さいときにコマンドが与えられるような仕方で、コマンド送信器（Ｐ１、Ｐ２）を制御するための制御装置（Ｍ１１、Ｍ２１）とを備えることを特徴とする、装置。
【請求項９】
登録装置および／または測定装置が、
ケージドア（６．１）および／または昇降路ドア（４．１、４．２、４．３、４．４、４．５、４．６）の作動を登録するための装置（２２．１、２２．２、２１．１、２１．２、２１．３、２１．４、２１．５、２１．６）、および／または、
エレベータ設備の駆動装置（１０．１、１０．２）の状態の変化を登録するための装置（２５．１、２５．２）、および／または、
ブレーキの作動を登録するための装置（２６．１、２６．２）、および／または、
エレベータ設備の構成要素の制御のための信号を登録するための装置（２７．１、２７．２）、および／または、
エレベータのケージの位置を検出するための装置（２４．１、２４．２）を備えることを特徴とする、請求項８に記載の装置。
【請求項１０】
反応が所望の反応と一致しない場合に、予め決められた情報を、監視センタ（５０）に伝達するための通信接続（４３）が存在することを特徴とする、請求項８または９に記載の装置。
【発明の詳細な説明】
【技術分野】
【０００１】
本発明は、請求項１の導入部による、少なくとも一つのエレベータを有するエレベータ設備の使用可能性を自動的に検査するための方法と、請求項８の導入部による、少なくとも一つのエレベータを有するエレベータ設備の使用可能性の自動検査のための装置とに関する。
【背景技術】
【０００２】
エレベータ設備の利用者のために、可能な最高度の使用可能性を保証する状態にエレベータ設備を維持することは、エレベータ設備の運用者の関心事である。動作上の障害は、エレベータ設備の使用可能性を損なう可能性があり、更に利用者の安全に危険を示すことがあり得るので、動作上の障害が可能な限り早期に認識されて、所定の場合にその原因が確定されることは、エレベータ設備の運用者にとっての関心事である。
【０００３】
遠隔保守センタとの通信のための通信インタフェースを有するエレベータ設備は、米国特許第３，９７３，６４８号に開示されている。エレベータ設備の試験システムとエレベータ制御装置との間の通信接続は、エレベータ設備の通信インタフェースを介して遠隔保守センタによって生成できる。試験システムは、予め決められた時点で、このシステムがエレベータ制御装置との通信接続を生成し、予め決められたプログラムにしたがって、ケージ呼出しおよび／または階呼出しをエレベータ制御装置に自動的に送信し、エレベータ設備のそれぞれの反応を分析するような仕方で、プログラム可能である。したがって反応の分析は、エレベータ設備が即座に使用可能であるかどうかに関する情報を供給する。米国特許第３，９７３，６４８号に開示された手順は、種々の欠点を持っている。例えばエレベータ設備の使用可能性は、遠隔保守センタの要員が計画した時点、または事前にプログラムされた時点でのみ検証可能である。試験システムは、エレベータ設備が使用されていないとき、例えば夜間に使用されるものとしている。人々が通常エレベータ設備を使用しているときの、エレベータ設備の使用可能性に関するデータは、この方法では得られない。したがってエレベータ設備の使用の主要な時間における動作上の障害は、更なる措置なしでは自動的に検出されない。更なる欠点は、単に、上述の試験が、任意の階の間のエレベータ設備のすべての可能な走行を包含するときに、エレベータ設備の使用可能性に関する信頼できる表明を可能にするということに見られることである。したがってこれらの試験は、エレベータが人々によって通常使用されない時間における、エレベータの多数回の試験走行という結果を招く。更に通常、遠隔保守センタには多数のエレベータ設備が接続されている。この考えは、通常、任意の所望の長さの期間に亘って保守され得る個別のエレベータ設備との通信接続を除外している。したがって個別のエレベータ設備は、通常、中断なしには遠隔保守施設によって検査することができない。
【特許文献１】米国特許第３，９７３，６４８号明細書
【発明の開示】
【発明が解決しようとする課題】
【０００４】
本発明は、前述の欠点に取り組んでいる。本発明は、特にエレベータ設備が乗客によって使用されているときに、可能な最小回数の試験で、任意の時間期間中のエレベータ設備の使用可能性の障害を迅速に確定するために適した、エレベータ設備の使用可能性の自動検査のための方法を創出するという目的を有する。更に本発明は、このような方法を実施するために適した装置を提供するものである。
【課題を解決するための手段】
【０００５】
本発明によれば、この目的は、請求項１の特徴を有する方法と請求項８の特徴を有する装置とによって達成される。
【０００６】
従属請求項は、本発明による方法と本発明による装置の実施の好適な形態を規定している。
【０００７】
本発明による方法の場合には、少なくとも一つのエレベータを有するエレベータ設備の使用可能性の自動検査は、エレベータ設備が、このエレベータ設備の少なくとも一つの試験を実施するための少なくとも一つの予め決められたコマンドを与えられ、その後でエレベータ設備の少なくとも一つの反応が登録され、エレベータ設備の所望の反応と比較されることによって実現される。エレベータ設備が使用可能な場合には、試験は、所望の反応を生成する筈であり、すなわち登録された反応は所望の反応と一致する筈である。
【０００８】
試験を実施するためのコマンドが与えられるかどうかは、あるいは所定の場合に与えられるときは、本発明によれば次のように決定される。すなわち、第１の時間期間中のエレベータの使用頻度に関する第１の予測値が確認され、および／または第１の時間期間より遅い時点から始まる第２の時間期間中のエレベータの使用頻度に関する第２の予測値が確認される。更に第１の時間期間中の使用頻度に関する測定値が決定され、この測定値は、予測値の少なくとも一つと比較される。引き続いて、もし測定値が、予め決められた量だけそれぞれの予測値より小さければコマンドが与えられる。
【０００９】
もし登録された反応が所望の反応と一致すれば、エレベータは使用可能であると想定できる。もし登録された反応が所望の反応と一致しなければ、エレベータは使用可能でないと想定できる。
【００１０】
「使用」によって、この関連では利用者にとって便利なエレベータの任意のサービスが理解されるものとする。一般に使用は、ケージ呼出し、階呼出し、走行コマンド、および／または一つのドアまたは数個のドアの開閉のためのコマンドに関連している。
【００１１】
用語「使用頻度」は、この関連では、使用頻度に関する如何なる定量的測定値も示すものとし、ここでは使用頻度が大きいほど、より頻繁に使用が発生することが前提とされている。例えば、予め決められた時間期間中に発生する使用の回数として、使用頻度を決定することが可能である。代替として、予め決められた時点から次の使用の時点までに亘る時間期間の長さから、使用頻度を導出することも可能であって、この場合、使用頻度は、この時間期間の逆数値として決定できるであろう。例えば使用頻度は、二つの連続した使用の間の時間的間隔の逆数値として決定できるであろう。
【００１２】
この場合、本発明は、エレベータがちょうど使用されていることは、通常このエレベータが使用可能である証拠であるという考えから始まる。したがって試験によって使用可能性を検査する理由は、下記の場合にだけエレベータの動作時に見られる。すなわち、
・  動作時に測定された使用頻度が、予測より小さいとき（この場合、動作上の障害が存在する可能性がある）、または、
・  予め決められた量だけの使用頻度の増加が予想されるとき（この場合、エレベータが、所定の場合に、もしエレベータが使用可能でなければ、この増加の前に適時に適切な措置によってエレベータの使用可能性を回復させ得るようにエレベータが使用可能であるかどうかが、使用頻度の予想される上昇の前に順次に検査される）。
【００１３】
予め決められた時間期間中のエレベータの使用頻度に関する予測値は、例えば最初にこの時間期間の前に、エレベータの使用とそれぞれの使用の時点とが登録されることによって確認できる。更なるステップで、使用の既に登録された時点からの使用頻度の時間による推移に関するもっともらしい仮定に基づいて、予め決められた時間期間中のどの使用頻度が予想できるかが決定できる。この予想された使用頻度は、この関連では、前述の予測値と見なされるであろう。
【００１４】
使用頻度の時間による推移に関する仮定は、使用モデルに基づいて、すなわちエレベータの使用に関する理論的モデルに基づいて採用できる。本発明の関連では、使用モデルは、それぞれの状況に応じて適切に選択できる。
【００１５】
公共的に出入りできる建物内のエレベータに関して、使用モデルは、例えば使用の統計的分析に基づいて得ることができる。統計的分析は、例えば、使用頻度が、利用者の習慣あるいは他の影響する要因（開館時間、休日、天候など）により、例えば一日のうちの時間による、日による、あるいは週による時間の関数として一連のパラメータに応じる予想による、特定の傾向に従うということを示すことができる。更に、計画し得るイベントは、使用頻度の推移に影響を与える可能性がある。このようにしてある特定の人数が参加する行事は、確定された時間間隔の間に特定の仕方で頻度に影響を及ぼす。例えば、このような行事の初めまたは終りにおける使用頻度は、増加の大きさが参加する人々の数に応じる場合に、大きく増加し、その後再び減少することが予想できる。
【００１６】
他の場合には、エレベータ設備は、絶えず変化して如何なる長期的な傾向も示さない条件下で運用されることもあり得るであろう。この場合には、使用頻度の時間による推移に関するもっともらしい仮定は、単に短期間の傾向に関する予測を行う使用モデルに基づいて行うことができる。例えば、使用頻度の時間による変化は、第１の時間期間に亘って測定でき、引き続いて第１の時間期間に続く第２の時間期間中の使用頻度の時間的振舞いは、使用頻度に関して第１の時間期間中に測定された値の外挿によって予測できる。この外挿は、第１の時間期間における使用頻度の時間経過と、第２の時間期間における使用頻度の時間経過との間に、相関関係が存在するという仮定に基づいている。例えば、もし第１の時間期間中の使用頻度が、絶え間なく上昇するならば、この傾向は、第１の時間期間の終了後少なくともある特定の時間に亘って継続することが想定され得る。これに対して、もし第１の時間期間中の使用頻度が、絶え間なく減少するならば、使用頻度は、第１の時間期間の終了後少なくともある特定の時間に亘ってある特定の量だけ更に減少することが想定され得る。この仕方で、第１の時間期間中の使用頻度に関する測定値は、この第１の時間期間に続く時間間隔中の使用頻度に関する予測値を決定するために使用できる。
【００１７】
本発明による方法の更なる変形では、使用頻度に関する測定値の決定のために、ある時間期間の継続時間が予め決められ、その時間期間中に登録されたエレベータの使用回数が決定され、この回数と継続時間とから（例えば、それぞれの回数と予め決められた継続時間との比率として）測定値が計算される。本方法のこの変形は、使用が、使用頻度の推測値として、予め決められた継続時間を有する時間期間に関してそれぞれ決められたそれぞれの統計的データで行われるときに特に有利である。
【００１８】
本方法の前述の変形に対する代替の場合、使用頻度に関する測定値の決定のために各事例で、エレベータの使用回数は予め決められ、これらの使用が登録される時間期間の継続時間が決定され、この継続時間の数から測定値が計算される（例えば予め決められた数とそれぞれの継続時間との比率として）。最も単純な場合で、予め決められた数は１であり得る。
【００１９】
本発明による方法の更なる実施の形態は、下記に述べる方法ステップ、すなわち、使用頻度に関する第１の予測値と使用頻度に関する測定値とが、各場合に第１の時間期間に関して決定され、第１の時間期間に続く第２の時間期間中に関する第２の予測値は、下記の値、
（ｉ）もし第１の予測値と測定値とが、予め決められた量以下だけ異なれば、第１の予測値と同じ値、または、
（ｉｉ）もし測定値が、予め決められた量より大きな量だけ第１の予測値より小さければ、第１の予測値より小さい値、または、
（ｉｉｉ）もし測定値が、予め決められた量より大きな量だけ第１の予測値より大きければ、第１の予測値より大きい値、
に設定される。
【００２０】
これらの方法ステップは、反復して実行できる。本方法ステップの第１の反復では、最初に、第２の時間期間中の使用頻度に関する測定値が決定できる。引き続いて、前述の方法ステップ（ｉ）、（ｉｉ）、または（ｉｉｉ）の一つにしたがって、第２の時間期間に続く更なる時間期間に関する予測値が決定でき、以下同様である。
【００２１】
本発明による方法のこの実施の形態は、幾つもの利点を有する。
【００２２】
上述のステップ（ｉ）、（ｉｉ）、および（ｉｉｉ）は、例えば、予め決められた時間期間中の使用頻度に関する予測値と測定値とに対して、後の時間期間中のそれぞれの予測値を割り当てる数学的関数の形に実現できる。このような数学的関数は、種々の基準に従う本発明による方法の目的のために適切に選択できる。一つには、この数学的関数は、使用頻度に関する本方法の実行に必要な予測値が、使用頻度に関する測定値からどのように計算されるべきかというルールを定義する。したがって前述の方法ステップの反復は、ある特定の時点における本方法の実行中に知らなくてはならない各予測値が、より早い時点で確認された使用頻度に関する測定値から継続的に数学的関数の使用によって計算できるような仕方で、本発明による方法の実行を可能にする。使用頻度に関する測定値は、エレベータの運転時の途中で変化し得るので、使用頻度の、数学的関数を用いて確認された予測値は同様に、時間の関数として変化する。したがって本方法の実行時に、使用頻度に関するそれぞれの予測値は、使用頻度に関する測定値に応じて連続的に適応させられる。この適応は、本方法の実行時の試験の回数をできる限り少なく維持することを可能にするという目的に寄与する。この数学的関数は、本方法の最適化のために適切に選択され得る。
【００２３】
本発明による方法の更なる実施の形態の場合、エレベータ設備の反応および／またはエレベータの使用は、ケージドアおよび／または昇降路ドアの作動の登録、および／またはエレベータ設備の駆動装置の状態の変化の登録、および／またはブレーキの作動の登録、および／またはエレベータ設備の構成要素の制御のための信号の登録、および／またはエレベータのケージの位置の検出によって登録される。通常のエレベータ設備では、ケージドアまたは昇降路ドアの作動、および／またはエレベータ設備の駆動装置の状態変化、および／またはブレーキの作動、および／またはエレベータ設備の構成要素の制御のための信号、および／またはエレベータのケージの位置は、如何なる場合にも適切なセンサによって検出される。したがって従来のエレベータ設備は、通常、その信号が使用の時点に関する情報を与えるセンサを含んでいる。これらの信号は、エレベータの使用頻度に関する測定値の決定のために使用でき、したがって本発明による方法の実行のための基礎を形成できる。
【００２４】
エレベータ設備の少なくとも一つの試験を実施するためのコマンドは、例えばケージ呼出し、階呼出し、および／または走行コマンドを含むことができる。ケージ呼出し、階呼出し、および／または走行コマンドは、従来のエレベータにおいて比較的単純な手段によって生成できる。これはしばしば、エレベータ制御装置の構成に関する詳細なデータの使用なしに可能である。
【００２５】
所望の反応は、例えば、下記の手順、すなわちエレベータ設備の階ドアの開閉、および／またはケージドアの開閉、および／またはある予め決められた階から他の予め決められた階へのケージの走行を含むことができる。この種のプロセスは、如何なる場合にも従来のエレベータ設備に存在するセンサによって検出することが比較的簡単である。
【００２６】
本発明によれば、エレベータ設備の使用可能性の自動検査のための前述の方法の実行のためには、
・  エレベータ設備が使用可能な場合に、エレベータ設備の所望の反応が登録できるように選択される試験であって、エレベータ設備の少なくとも一つの試験を実施するための予め決められたコマンドを、少なくとも一つのエレベータのためのエレベータ制御装置に与え得るコマンド送信器と、
・  このコマンドに従ってエレベータ設備の反応を登録するための登録装置と、
・  この反応を所望の反応と比較するための装置と、
・  第１の時間期間中のエレベータの使用頻度に関する第１の予測値を決定し、かつ／または第２の時間期間中の使用頻度に関する第２の予測値を決定するための装置と、
・  第１の時間期間中の使用頻度に関する測定値を確認するための測定装置と、
・  測定値が予測値の一つより予め決められた量だけ小さいときに、コマンドが与えられるような仕方で、コマンド送信器を制御するための制御装置と、
を含む装置が適切である。
【００２７】
本発明による装置は、例えば、エレベータ設備の付近に設置できる。
【００２８】
本発明による装置は、反応が所望の反応に一致しない場合に、予め決められた情報を監視センタに送信するために通信接続を介して通信するための手段を装備することができる。必要の場合には、本発明による装置は、監視センタとの通信接続を自動的に作動させることができる。もしエレベータ設備が使用可能でないという状況が発生すれば、この方法で、注意が援助手段に自動的に与えられ得る。
【００２９】
本発明による方法または本発明による装置は、以下の更なる利点を提供する。
【００３０】
・  本方法は、そのような試験が、その時点で有用であり得るという兆候を運転の観測が出すときに、エレベータ設備の唯一つのこのような試験に導く（使用可能性は、即座に、あるいは予想されるイベントの前に問題になるので、エレベータ設備が使用可能であることは必ず保証されなくてはならない）。この仕方で、試験の回数は少なく維持され、運転上の障害は迅速に認識されるということが達成できる。
【００３１】
・  本発明による装置は、通常、従来の設備において支障なく改装可能である。これが可能であるのは、ケージ呼出し、階呼出し、および／または走行コマンドが、単純な手段によって生成でき、またエレベータの使用と、例えばエレベータ設備の昇降路ドアの開閉、および／またはケージドアの開閉、および／またはケージの走行といったエレベータの反応とが、単純な手段によって登録できるからである。
【００３２】
・  本発明による方法は、また、グループ制御を持つ数台のエレベータを有するエレベータ設備の使用可能性を検査するためにも適している。
【００３３】
本発明の実施形態の例は、種々の図に基づいて下記に説明される。
【発明を実施するための最良の形態】
【００３４】
図１は、エレベータ設備１の使用可能性の自動検査のための本発明による装置３０に関連した同じ構造の２台のエレベータ１．１、１．２を有するエレベータ設備を示す。
【００３５】
エレベータ設備１は、六つの階３．１、３．２、３．３、３．４、３．５、および３．６を有する建物内に設置されている。エレベータ１．１、１．２の各々のために、それぞれ昇降路２．１、２．２が設けられている。二つのそれぞれの昇降路ドア４．ｘ（ｘ＝１から６）は、各階３．ｘに配置されている。
【００３６】
エレベータ１．１は、階３．ｘの一つに面した側にケージドア６．１を有するケージ５．１と、釣合い重り７．１と、ケージ５．１と釣合い重り７．１とのための支持手段８．１と、支持手段８．１のための駆動プーリを有する駆動装置１０．１と、エレベータ制御装置１５．１とを含む。ケージ５．１と釣合い重り７．１は、各事例では支持手段８．１を介して互いに連結されており、支持手段８．１は、駆動装置１０．１の駆動プーリの周りに輪を作っている。駆動装置１０．１の作動は、駆動プーリの回転を引き起こし、これによって、ケージ５．１と釣合い重り７．１の上向き、および下向きの反対方向の運動を引き起こす。運転時のエレベータ１．１の制御のために、通信接続１６．１を介して、エレベータ制御装置１５．１とエレベータ１．１の種々の制御可能な構成要素との間で、信号が伝送され得る。
【００３７】
これに対応してエレベータ１．２は、階３．ｘの一つに面した側にケージドア６．２を有するケージ５．２と、釣合い重り７．２と、ケージ５．２と釣合い重り７．２とのための支持手段８．２と、支持手段８．２のための駆動プーリを有する駆動装置１０．２と、エレベータ制御装置１５．２とを含む。ケージ５．２と釣合い重り７．２は、各事例では支持手段８．２を介して互いに連結されており、支持手段８．２は、駆動装置１０．２の駆動プーリの周りに輪を作っている。駆動装置１０．２の作動は、駆動プーリの回転を引き起こし、これによってケージ５．２と釣合い重り７．２の上向きおよび下向きの反対方向の運動を引き起こす。運転時のエレベータ１．２の制御のために、通信接続１６．２を介して、エレベータ制御装置１５．２とエレベータ１．２の種々の制御可能な構成要素との間で、信号が伝送され得る。
【００３８】
エレベータ１．１、１．２は、それぞれ、エレベータ制御装置１５．１および１５．２によって互いに独立に制御できる。更に、エレベータ制御装置１５．１とエレベータ制御装置１５．２との間には、通信接続１８が設けられる。エレベータ制御装置１５．１とエレベータ制御装置１５．２との間の信号は、グループ制御を有するエレベータグループとして、エレベータ１．１および１．２を動作させることができるように、必要な場合に通信接続１８を介して交換できる。
【００３９】
エレベータ設備１は、図１および図２に示すように、エレベータ設備の種々の動作状態を検出し、所定の場合に動作状態の変化を登録することを目的とた、下記の多数の装置を有する。すなわち、
・  昇降路ドア４．１、４．２、４．３、４．４、４．５、４．６の作動を監視して登録するための装置２１．１、２１．２、２１．３、２１．４、２１．５、２１．６と、
・  ケージドア６．１および６．２を監視して、ケージドア６．１および６．２の作動を登録するための装置２２．１および２２．２と、
・  ケージ５．１の位置に関する昇降路２．１内に配置された符号化手段２３．１と、符号化手段２３．１を読み取るためおよびケージ５．１の位置検出のために、ケージ５．１に配置された装置２４．１と、
・  ケージ５．２の位置に関する昇降路２．２内に配置された符号化手段２３．２と、符号化手段２３．２を読み取るためおよびケージ５．２の位置検出のために、ケージ５．２に配置された装置２４．２と、
・  駆動装置１０．１および１０．２の状態をそれぞれ登録するため、および駆動装置１０．１および１０．２の状態の変化を登録するための装置２５．１および２５．２（駆動装置の状態は、例えばそれぞれの駆動装置に流れる電流、またはそれぞれの駆動装置の作動中に動かされる構成要素の速度または加速度によって特徴付けられ得る）と、
・  エレベータ１．１および１．２それぞれのブレーキの作動を登録するための装置２６．１および２６．２と、
・  エレベータ制御装置１５．１および１５．２それぞれの信号を登録するための装置２７．１および２７．２（エレベータ設備の制御のための）と、
・  エレベータ設備またはエレベータ１．１および１．２の付近の人々を登録するための装置２８．１および２８．２（例えば動きレポーター、カメラ、光障壁など）。
【００４０】
エレベータ１．１および１．２のうちの一つの使用の場合には、通常、ドアの少なくとも一つが動かされる、および／またはケージ５．１および５．２のうちの一つの位置が変化する、および／または駆動装置１０．１および１０．２のうちの一つの状態が変化する、および／またはエレベータ制御装置１５．１および１５．２のうちの一つの少なくとも一つの信号が生成される。更に使用は、通常、エレベータ設備１の付近に少なくとも一名の人を前提とする。
【００４１】
エレベータ１．１および１．２のうちの一つの使用の場合には、通常、装置２１．１、２１．２、２１．３、２１．４、２１．５、２１．６、２２．１、２２．２、２４．１、２４．２、２５．１、２５．２、２６．１、２６．２、２７．１、２７．２、２８．１、２８．２のうちの一つによって検出され得る、動作状態の変化が発生する。これらの装置は、それぞれの動作状態を特徴付ける信号を与える。したがってエレベータ１．１および１．２の一つの使用は、前述の装置の一つの助けによって登録され得る。これらの装置の信号は、図１に示すように、それぞれ通信接続１７．１および１７．２を介してエレベータ制御装置１５．１および１５．２によって検出され得る。
【００４２】
図２は、装置３０の詳細を示す。これは、エレベータ１．１の使用可能性を検査するための装置３０．１と、エレベータ１．２の使用可能性を検査するための装置３０．２とを含む。装置３０．１および３０．２は、実質的に同じ構造である。
【００４３】
装置３０．１は、プロセッサＰ１と、このプロセッサＰ１が動作時にデータを交換できる種々の構成要素、すなわち、
・  通信接続４１．１を介して装置２１．１、２１．２、２１．３、２１．４、２１．５、２１．６、２２．１、２４．１、２５．１、２６．１、２７．１、２８．１との通信のための通信インタフェース３１．１と、
・  エレベータ制御装置１５．１との通信のための通信インタフェース３２．１と、
・  エレベータ１．１の使用可能性を検査するためのプログラム（以下「Ｐ１．１」と呼ぶ）のためのメモリＭ１１と、
・  エレベータ１．１の使用頻度に関する予測値のためのメモリＭ１２と、
・  エレベータ１．１の使用頻度に関する測定値のためのメモリＭ１３と、
・  データのためのメモリＭ１４とを含む。
【００４４】
プログラムＰ１．１は、プロセッサＰ１の制御下で動作できる。プログラムＰ１．１は、下記の種々のプロセスを制御する。すなわち、
ａ）プログラムＰ１．１の制御下で、プロセッサＰ１は、装置２１．１、２１．２、２１．３、２１．４、２１．５、２１．６、２２．１、２４．１、２５．１、２６．１、２７．１、２８．１の信号を評価できる。
【００４５】
ｂ）ａ）による信号の評価は、エレベータ１．１の使用の登録と、エレベータ１．１の使用頻度に関する測定値の決定とを可能にする。したがってプロセッサＰ１は、ａ）による装置の少なくとも一つおよびメモリＭ１１と共に、エレベータ１．１の使用頻度の測定装置を形成する。使用頻度に関する測定値は、時間の関数として登録できる。使用頻度に関する測定値は、メモリＭ１３内にファイルできる。
【００４６】
ｃ）プログラムＰ１．１の制御下で、プロセッサＰ１は、通信接続４２．１を介してエレベータ制御装置１５．１に伝達されるコマンド、例えばエレベータ１．１の試験を実施するためのコマンドを与えることができる。したがってプロセッサＰ１は、メモリＭ１１と共にエレベータ制御装置１５．１のためのコマンド送信器を形成する。
【００４７】
ｄ）プログラムＰ１．１の制御下で、プロセッサＰ１は、ｃ）によるそれぞれのコマンドに直接従う装置２１．１、２１．２、２１．３、２１．４、２１．５、２１．６、２２．１、２４．１、２５．１、２６．１、２７．１、２８．１の信号を登録し評価できる。これらの信号は、それぞれのコマンドに対するエレベータ１．１の反応を特徴付ける。したがってプロセッサＰ１は、前述の装置の少なくとも一つおよびメモリＭ１１と共に、エレベータ１．１の反応の登録装置を形成する。
【００４８】
ｅ）エレベータ１．１のすべての可能な所望の反応を指定し、エレベータ制御装置に与えられ得るコマンドの各々に関連し、それぞれの所望の反応を生成するデータは、例えばメモリＭ１４に記憶され得る。プログラムＰ１．１の制御下で、プロセッサＰ１は、ｄ）にしたがってエレベータ制御装置に与えられたコマンドに関して対応する所望の反応を確認でき、ｄ）にしたがって登録された反応を、所望の反応と比較できる。したがってプロセッサＰ１は、メモリＭ１１およびＭ１４と共に、反応を所望の反応と比較するための装置を形成する。
【００４９】
ｆ）エレベータ１．１の使用頻度に関する予測値は、メモリＭ１２にファイルできる。特定の時間期間中の使用頻度に関する予測値は、例えば下記に説明される方法にしたがって、使用頻度に関する測定値からプログラムＰ１．１の制御下で決定できる。装置２８．１および２８．２の信号は、また、使用頻度に関する予測値の決定のためにも利用できる。これらの装置の信号は、エレベータ設備に近づく人々、またはエレベータ設備から立ち去る人々、またはエレベータ設備の付近に立ち止まる人々の人数に関する情報を与える。もし装置２８．１および２８．２によって登録された人数が変化すれば、時間の途中で、エレベータの使用頻度も変化するであろうことが予想される筈である。もし装置２８．１および２８．２が、エレベータ設備１に近づくある特定の人数を登録すれば、使用頻度は上昇するであろうことが予想される筈である。もしこの場合、例えば第１の時間期間中の使用頻度に関する測定値が知られるならば、後の時間期間中の使用頻度の予測値は、測定値と登録された人数とから計算できる。この場合の登録された人数は、第２の時間期間における使用頻度に関する上限を確定する。
【００５０】
ｇ）プログラムＰ１．１の制御下で、プロセッサＰ１は、使用頻度に関する予測値と測定値とを比較でき、この比較の結果によって、ｃ）によるエレベータ１．１の試験を実施するためのコマンドが与えられるべきかどうか、所定の場合には何時それが与えられるべきかを決定できる。
【００５１】
装置３０．１の構成と同様に装置３０．２は、プロセッサＰ２と、このプロセッサＰ２が、動作時にデータを交換できる種々の構成要素、すなわち、
・  通信インタフェース４１．２を介して装置２１．１、２１．２、２１．３、２１．４、２１．５、２１．６、２２．２、２４．２、２５．２、２６．２、２７．２、２８．２との通信のための通信インタフェース３１．２と、
・  エレベータ制御装置１５．２との通信のための通信インタフェース３２．２と、
・  エレベータ１．２の使用可能性を検査するためのプログラム（以下「プログラムＰ１．２」と呼ぶ）のためのメモリＭ２１と、
・  エレベータ１．２の使用頻度に関する予測値のためのメモリＭ２２と、
・  エレベータ１．２の使用頻度に関する測定値のためのメモリＭ２３と、
・  データのためのメモリＭ２４とを含む。
【００５２】
プログラムＰ１．２は、プロセッサＰ２の制御下で動作できる。プログラムＰ１．１とプログラムＰ１．２とは同等である。上述のポイントａ）からｇ）にしたがうプログラムＰ１．１に関して述べたことは、これに対応してプログラムＰ１．２に適用され、この場合には装置３０．２の通信インタフェース３１．２および３２．２の機能は、装置３０．１の通信インタフェース３１．１および３２．１のそれぞれの機能に対応する。装置３０．２のメモリＭ２１、Ｍ２２、Ｍ２３、Ｍ２４の機能は、メモリＭ１１、Ｍ１２、Ｍ１３、Ｍ１４のそれぞれの機能に対応する。
【００５３】
プロセッサＰ１およびＰ２は、図２に示すように通信接続３５を介して互いに接続できる。データは、通信接続３５を介してプロセッサＰ１とＰ２との間で交換できる。これは、エレベータ１．１および１．２が、グループ制御を有するエレベータグループとして運用される場合に有用である。しかしながら装置３０．１および３０．２は、また互いに独立に運用することもできる。
【００５４】
プログラムＰ１またはＰ２は、試験を実施するための種々のコマンド、例えばケージ呼出し、階呼出し、および／または走行コマンドを、エレベータ制御装置１５．１または１５．２に与えることができる。これに対応してエレベータ１．１、または１．２の種々の所望の反応が、考慮に入れられる。すなわちエレベータ設備の昇降路ドアの開閉、および／またはケージドアの開閉、および／または予め決められた一つの階から予め決められた別の階へのケージの走行などである。
【００５５】
図２に示すように、プロセッサＰ１およびＰ２は、通信接続４３を介して監視センタ５０との通信のための通信インタフェース３３に接続される。もしエレベータ１．１および１．２のうちの一つが使用可能でないことが、装置３０．１および３０．２の動作中に確定されれば、プロセッサＰ１およびＰ２は、この状況を示すために、通信接続４３を介して予め決められた情報を監視センタ５０に伝達できる。
【００５６】
エレベータ設備１のこの例の場合における、エレベータ設備の使用可能性の自動検査のための本発明による方法の三つの変形が、以下に説明される。最初の二つの変形（「方法Ａ」、「方法Ｂ」）は、単一エレベータの検査に関係している。第３の変形（「方法Ｃ」）は、グループ制御を有する２台のエレベータのグループに関係する。
【００５７】
方法Ａ
方法Ａは、装置３０．１の助けによって、エレベータ１．１の使用可能性の自動検査のための一例に基づいて説明される。
【００５８】
エレベータ１．１の使用に関して、開始点は、下記の仮定に基づく使用モデルである。
【００５９】
・  開始点は、エレベータ１．１が、各々同じ継続時間ｔｅ（ｉ）−ｔ０（ｉ）を有する一連の連続する時間期間ΔＴ（ｉ）内で使用されることである。インデックスｉ（ｉ≧１）は、それぞれの時間間隔を特徴づけ、ｔ０（ｉ）は、時間期間ΔＴ（ｉ）の開始時点を示し、ｔｅ（ｉ）は、時間期間ΔＴ（ｉ）の終了時点を示す。
【００６０】
・  すべての使用は、時間期間ΔＴ（ｉ）の各個別時間期間の開始後に、同様な仕方で繰り返す条件下で発生するものと仮定される。この前提条件によって、エレベータ１．１の使用頻度は、時間期間ΔＴ（ｉ）の各々において、統計的変動は別として、同じコースオーバータイム（それぞれの時間期間の始まりと呼ばれる）を示すことが予想されるものとする。単純化のために、一時間期間の終了は、その直後の時間期間の始まりと一致する、すなわちｔｅ（ｉ）＝ｔ０（ｉ＋１）であると仮定する。
【００６１】
この種のモデルは、例えば、公共の建物内のエレベータ設備に関して現実的である。このような建物の訪問者の数、したがってエレベータの利用者の数は、連続して後に続く日によって、開館時間、訪問者の習慣などに起因して、時間の関数として同じ規則性にしたがって各事例で変動する。ある幾つかの状況では、利用者の数は、更に、例えば季節的影響に起因する長期的傾向に従う日による変動を受ける。
【００６２】
上述の前提条件下では、ある特定の時間期間ΔＴ（ｎ）中の使用頻度に関する予測値は、ｉ＜ｎとして一つ以上のより早い時間期間ΔＴ（ｉ）中の使用頻度に関する測定値から、統計的方法を用いて取得できる。
【００６３】
方法Ａによれば、使用頻度に関する測定値は、次のように決定される。
【００６４】
開始点は、時間期間ΔＴ（ｉ＝１）の開始後の時点ｔＢ（ｋ）において発生するエレベータ１．１の一連の使用である。インデックスｋは、個々の使用を示す。
【００６５】
エレベータ１．１の使用と使用のそれぞれの時点ｔＢ（ｋ）は、時刻ｔ＞ｔ０（ｉ）に関して装置３０．１を用いて登録される。
【００６６】
エレベータ１．１の使用頻度に関する測定値Ｎｍ（ｉ，ｔ）は、時刻ｔ＞ｔ０（ｉ）に関して次のように決定される。ｔ０（ｉ）≦ｔ≦ｔｅ（ｉ）として、各時間期間ΔＴ（ｉ）は、毎回、例えば等しい長さｄの予め決められた数のｍ個の時間間隔δＴ（ｉ，ｊ）に細分される。ここでδＴ（ｉ，ｊ）は、下記の時間期間として定義される。
δＴ（ｉ，ｊ）：ｔ０（ｉ）＋（ｊ−１）ｄ≦ｔ≦ｔ０（ｉ）＋ｊｄ
ここで、ｄ＝（ｔｅ（ｉ）−ｔ０（ｉ））／ｍであって、ｊ＝１，．．．，ｍである。
【００６７】
時間間隔δＴ（ｉ，ｊ）において登録された使用回数は、Ｎ（ｉ，ｊ）によって表される。使用頻度に関する測定値Ｎｍ（ｉ，ｊ）は、今や下記にしたがって定義される。
ｔ０（ｉ）＋（ｊ−１）ｄ≦ｔ≦ｔ０（ｉ）＋ｊｄとして
Ｎｍ（ｉ，ｊ）＝Ｎ（ｉ，ｊ）／ｄ
【００６８】
したがって、使用頻度の測定値Ｎｍ（ｉ，ｔ）は、時間間隔δＴ（ｉ，ｊ）中に登録された使用回数と時間間隔δＴ（ｉ，ｊ）の継続時間との比率として決定される。
【００６９】
方法Ａでは、ｋ＜ｉとして時間期間ΔＴ（ｉ）に先行する時間期間ΔＴ（ｋ）中の使用頻度に関する測定値から、特定の時間期間ΔＴ（ｉ）中の使用頻度に関する予測値Ｎｓ（ｉ，ｔ）を決定することが提案されている。
【００７０】
予測値Ｎｓは、例えば、下記の漸化式（ｉ＝１から開始する）にしたがって反復的に確認できる。
Ｎｓ（ｉ＋１，ｔ）＝Ｎｓ（ｉ，ｔ−Δ（ｉ））＋［Ｎｍ（ｉ，ｔ−Δ（ｉ））−Ｎｓ（ｉ，ｔ−Δ（ｉ））］／λ＝Ｆ（ｉ，ｔ，λ）
【００７１】
ここで、Δ（ｉ）＝ｔ０（ｉ＋１）−ｔ０（ｉ）は、時間期間ΔＴ（ｉ＋１）の始まりと時間期間ΔＴ（ｉ）の始まりとの間の時間間隔を示す。この場合、ｔ０（ｉ＋１）＝ｔｅ（ｉ）、すなわちΔ（ｉ）＝ｔｅ（ｉ）−ｔ０（ｉ）＝ｔｅ（ｉ＋１）−ｔ０（ｉ＋１）は、時間期間ΔＴ（ｉ）またはΔＴ（ｉ＋１）の継続時間と一致することが仮定されている。
【００７２】
漸化式の左辺は、使用頻度に関する予測値を、時間期間ΔＴ（ｉ）中の時間の関数として定義している。右辺は、使用頻度に関する予測値と測定値とを、時間期間ΔＴ（ｉ）中の時間の関数と見なしている。この漸化式の右辺の項Δ（ｉ）は、時間期間ΔＴ（ｉ＋１）の開始が、時間期間ΔＴ（ｉ）の開始に対して時間期間ΔＴ（ｉ）の継続時間によって、すなわちΔ（ｉ）によって置き換えられることと、すべての時間期間（それぞれの時間期間の開始点と呼ばれる）における使用頻度が、時間の関数としての類似の経路を有するはずである（連続する幾つかの時間期間に亘って発生し得る統計的変動は別として）という仮定に本方法が基づいていることとを考慮に入れている。
【００７３】
関数Ｆ（ｉ，ｔ，λ）は、最適化目的のために適するように選択でき、かつ経験的に決定できるパラメータλを含んでいる。λ＝１に関しては、例えば、Ｆ（ｉ，ｔ，λ）＝Ｎｍ（ｉ，ｔ−Δ（ｉ））が当てはまる。この場合、時間期間ΔＴ（ｉ）中に測定された使用頻度は、これに続く時間期間ΔＴ（ｉ＋１）中の使用頻度に関する予測値に等しいことが仮定されている。境界ケースλ→∞では、これに対して、Ｆ（ｉ，ｔ，λ）＝Ｎｓ（ｉ，ｔ−Δ（ｉ））＝Ｎｓ（ｉ＋１，ｔ−Δ（ｉ））という結果が続く。この場合、使用頻度に関する予測値は、インデックスｉとは独立、すなわちすべての時間期間ΔＴ（ｉ）に関して同じであった。この場合、測定値Ｎｍ（ｉ，ｔ）は、使用頻度に関して、対応する予測値のサイズには影響しない。したがって関数Ｆ（ｉ，ｔ，λ）内のパラメータλは、時間間隔ΔＴ（ｉ）に関する測定値Ｎｍ（ｉ，ｊ）をどれによって重み付けすることが、ｋ≦ｉとして時間期間ΔＴ（ｋ）中の使用頻度の予測値と比較して、これに続く時間期間ΔＴ（ｉ＋１）中の使用頻度Ｎｓ（ｉ＋１，ｔ）に関する予測値に影響を及ぼすかを決定する。
【００７４】
言い換えれば、漸化式Ｆ（ｉ，ｔ，λ）による反復を用いて、連続的に続く時間期間中の使用頻度に関する予測値は、ｋ≦ｉとして幾つかの連続する時間期間ΔＴ（ｋ）の途中における使用頻度に関する測定値の時間依存性に現れる現在の傾向に適応できる。
【００７５】
上記の反復は、所望にしたがって選択できるＮｓ（ｉ＝１，ｔ）の開始値から開始できる。関数Ｎｓ（ｉ＋１，ｔ）＝Ｆ（ｉ，ｔ，λ）による反復の繰り返しの使用の場合には、使用頻度に関するこの仕方で計算される予測値は、エレベータ１．１の使用の統計的分析による使用頻度に関する統計的予測値と一致する現実値に向かって、多少とも迅速に収束する。収束の速度は、パラメータλの選択に応じる。したがってパラメータλは、とりわけ、エレベータ１．１の動作時の装置３０．１が、方法Ａに基づいてエレベータ１．１の使用に関する現実データを如何に迅速に決定できるかを決定する。したがって反復の収束の途中で、装置３０．１は、「学習段階」を通過し、その間にこの装置は、エレベータ１．１の使用に関するデータを収集して評価できる。
【００７６】
上記のパラメータλは、更に、動作時の装置３０．１が、方法Ａに基づいてエレベータ１．１の試験を実施するためのできるだけ少ないコマンドを与えるという規準にしたがって最適化され得る。
【００７７】
使用頻度に関する現実的な予測値を得るために、関数Ｎｓ（ｉ＋１，ｔ）＝Ｆ（ｉ，ｔ，λ）による反復の代わりに、他の統計的方法も使用できることが明らかである。
【００７８】
方法Ａは、図３および図４に基づいて下記に説明される。
【００７９】
図３は、時間ｔの関数として、それぞれ二つの図表を（一方を他方の上方に配置して）示す。上の図表は、時間期間ΔＴ（ｉ）に関連しており、下の図表は、時間期間ΔＴ（ｉ＋１）に関連している。時間期間ΔＴ（ｉ）の終了は、時間期間ΔＴ（ｉ＋１）の開始と一致しており、すなわちｔｅ（ｉ）＝ｔ０（ｉ＋１）である。
【００８０】
これらの図表は、予測値Ｎｓと測定値Ｎｍと最小値Ｎｍｉｎとに関するデータを示しており、これらは、メモリＭ１２、Ｍ１３、およびＭ１４にファイルされる。これらのデータは、プログラムＰ１．１の実行中に検出され、管理され、かつ分析される。
【００８１】
図３の上の図表は、エレベータ１．１の使用頻度に関する予測値Ｎｓ（ｉ，ｔ）と、使用頻度に関する対応する測定値Ｎｍ（ｉ，ｔ）と、使用頻度に関する最小値Ｎｍｉｎ（ｉ，ｔ）とを示す。図３の下の図表は、エレベータ１．１の使用頻度に関する予測値Ｎｓ（ｉ＋１，ｔ）と、使用頻度に関する最小値Ｎｍｉｎ（ｉ＋１，ｔ）とを示す。
【００８２】
これらの図表の時間軸は、各事例の２４時間への分割を含む。図表は、例えば、エレベータ１．１が、通常は５時と２１時との間でだけ使用されることを表している。予測値Ｎｓ（ｉ，ｔ）とＮｓ（ｉ＋１，ｔ）は、夜の２１時と朝の５時との間の時間において０に等しい。カーブＮｓ（ｉ，ｔ）およびＮｓ（ｉ＋１，ｔ）の経路によれば、使用頻度の一時的ピーク値は、毎回、５時と２１時の間で午前中と予想される。
【００８３】
図３の図表は、時間期間ΔＴ（ｉ）中の１６時ごろの時点に関する予測値Ｎｓ、測定値Ｎｍ、および最小値Ｎｍｉｎとを示す。図３によれば、測定値Ｎｍは、１５時過ぎ近くで値０を採ることが想定される。したがって１５時と１６時との間の時間で、Ｎｍに関する測定値は検出されるが、エレベータ１．１の使用は登録されていない。なお時間期間ΔＴ（ｉ）における１６時からの時間に関して、測定値Ｎｍは検出されていない。
【００８４】
図４は、方法ステップＳ１からＳ１２を有する、流れ図の形で方法Ａのステップを示す。
【００８５】
方法ステップＳ１で、装置３０．１は初期化される。プロセッサＰ１は、内部カウンタｉをｉ＝１に設定し、内部クロックを、時刻ｔ＝ｔ０（ｉ）、すなわち時間期間ΔＴ（ｉ）の開始に設定する。プログラムＰ１．１の実行が開始される。この後、Ｓ２に続く。
【００８６】
方法ステップＳ２では、ｔ０（ｉ）≦ｔ≦ｔｅ（ｉ）として、エレベータ１．１の使用可能性が検査される時間期間ΔＴ（ｉ）が確定される。この後、Ｓ３が続く。
【００８７】
方法ステップＳ３では、時間期間ΔＴ（ｉ）中のエレベータ１．１の使用頻度に関する予測値Ｎｓ（ｉ，ｔ）が、メモリＭ１２からプロセッサＰ１にロードされる。
【００８８】
方法ステップＳ４では、エレベータ１．１の使用と各使用（インデックスｋ）のそれぞれの時点ｔＢ（ｋ）とが登録され、使用頻度に関する測定値Ｎｍ（ｉ，ｔ）は、時間期間ΔＴ（ｉ）中の時間の関数として確認されて、メモリＭ１３にファイルされる。予測値Ｎｓ（ｉ＋１，ｔ）は、例えば前述の反復Ｎｓ（ｉ＋１，ｔ）＝Ｆ（１，ｔ，λ）にしたがって、ｋ≦ｉとして測定値Ｎｍ（ｉ，ｔ）と予測値Ｎｓ（ｋ，ｔ）とから計算でき、それからメモリＭ１２にファイルされ得る。
【００８９】
方法ステップＳ５、Ｓ７、およびＳ１２は、方法ステップＳ４と並行して実行される。
【００９０】
方法ステップＳ５では、プロセッサＰ１は、ｔ０（ｉ）≦ｔ≦ｔｅ（ｉ）として、時間期間ΔＴ（ｉ）の終了に到達したかどうかを検査する。もしそうであれば、方法ステップＳ６に続く（経路＋）。もしそうでなければ、ステップＳ４に続く（経路−）。
【００９１】
方法ステップＳ６では、インデックスｉは、１だけ増加させられる。引き続いてＳ２から前述のステップが、繰り返される。
【００９２】
方法ステップＳ７では、エレベータの使用頻度に関する測定値Ｎｍ（ｉ，ｔ）が、最小値Ｎｍｉｎ（ｉ、ｔ）より下方に低下するかどうかが検査される。Ｎｍｉｎ（ｉ，ｔ）は、図３に示すように、予め決められた量だけ予測値Ｎｓ（ｉ＋１，ｔ）より小さい。もしエレベータの使用頻度に関する測定値Ｎｍ（ｉ，ｔ）が、最小値Ｎｍｉｎ（ｉ，ｔ）より下方に低下すれば、方法ステップＳ８に続く（経路＋）。もし低下しなければ、方法ステップＳ４に続く（経路−）。
【００９３】
方法ステップＳ８では、エレベータ１．１の試験を実施するためのコマンドが、エレベータ制御装置１５．１に与えられる（時点ｔＴで）。引き続き、方法ステップＳ９が続く。
【００９４】
方法ステップＳ９で、エレベータ１．１の反応Ｒが登録される。
【００９５】
引き続いて方法ステップＳ１０で、反応Ｒは、所望の反応Ｒｓと比較される。もし反応Ｒが、所望の反応Ｒｓと一致すれば、エレベータ１．１は使用可能であると想定できる。この場合、Ｓ４に続くことができる（経路＋）。もし反応Ｒが、所望の反応Ｒｓと一致しなければ、エレベータ１．１は、使用可能でないと想定できる。この場合、Ｓ１１に続くことができる（経路−）。
【００９６】
方法ステップＳ１１では、エレベータ１．１が使用可能でないことが監視センタ５０に伝達される。この後、本方法は、中断される。エレベータ１．１が再び使用可能になると、本方法は、方法ステップＳ１から続行できる。
【００９７】
方法Ｓ１２では、時点ｔから始めて、予め決められた量ΔＮｓより多い量だけ使用頻度の上昇が、時間期間Δｔ内に、すなわち（Ｎｍ（ｔ）＜Ｎｓ（ｔ＋Δｔ）−ΔＮｓ）内に予想されることが考えられるかどうかが検査される。もしΔＮｓより多い上昇が予想されれば、予防措置として、方法ステップＳ８による試験を実施するためのコマンドが与えられる（経路＋）。もしそうでなければ、Ｓ４が続く（経路−）。
【００９８】
図３に示すように、試験を実施するためのコマンドは、方法ステップＳ７およびＳ１２それぞれにおいて一度、エレベータ制御装置１５．１に与えられていた。時点ｔＴ（１）における第１の試験は、方法ステップＳ１２に帰するものとされる。この場合、エレベータが使用可能であることは、午前の使用頻度の急激な上昇の少し前に、首尾よく検査されていた。
【００９９】
時点ｔＴ（２）における第２の検査は、方法ステップＳ７に帰するものとされる。この場合、エレベータ１．１が使用可能であるかどうかは、１５時に向かう、最小値Ｎｍｉｎ（ｉ，ｔ）より下方への使用頻度の急激な低下の少し後に検査された。結果は、否定的である。使用頻度Ｎｍ（ｔ）は、ｔ＞ｔＴ（２）に関してエレベータ１．１が使用可能でないので、０に等しいままに留まる。
【０１００】
図３の下の図表における使用頻度に関するＮｓ（ｉ＋１，ｔ）の値と最小値Ｎｍｉｎ（ｉ＋１，ｔ）とは、反復Ｎｓ（ｉ＋１，ｔ）＝Ｆ（１，ｔ，λ）にしたがって、時間期間ΔＴ（ｉ）中の値Ｎｓ（ｉ，ｔ）とＮｍ（ｉ，ｔ）とから計算される。Ｎｓ（ｉ＋１，ｔ）＝Ｎｓ（ｉ，ｔ−Δ（ｉ））は、この領域に関して、時間期間ΔＴ（ｉ）における使用頻度に関する対応する測定値が登録されなかったので、ｔ＞ｔＴ（２）＋Δ（ｉ）に関して設定された（時間期間ΔＴ（ｉ）では、ｔ＞ｔＴ（２）に関してＮｍ（ｔ）＝０である、上記を参照のこと）。
【０１０１】
明らかに、時間期間ΔＴ（ｉ）中のそれぞれの予測値Ｎｓ（ｉ，ｔ）より大きいか、等しいか、小さいそれぞれの値は、測定値Ｎｍ（ｉ，ｔ）が、対応する予測値Ｎｓ（ｉ，ｔ）より大きいか、等しいか、小さいかどうかにそれぞれ応じる時間期間ΔＴ（ｉ＋１）中の予測値Ｎｓ（ｉ＋１，ｔ）から生じる（λ＞０と仮定されている）。
【０１０２】
方法Ａは、方法ステップＳ８による試験が、予め決められた時間間隔においては、例えば、エレベータ１．１が使用されないか、ほとんど使用されないとき、例えば夜間には実施されないように構成できる。
【０１０３】
方法Ｂ
方法Ｂは、装置３０．１の助けによって、エレベータ１．１の使用可能性の自動検査のための一例に基づいて説明される。
【０１０４】
方法Ｂは、下記の措置に基づいている。
１）エレベータ１．１の動作の観測に基づいており、また所定の場合には、装置３０．１の助けにより、エレベータ１．１の使用の登録（現在の範囲では）と使用のそれぞれの時点ｔＢの決定とに基づいており、
２）二つの連続的に続く使用の時間間隔の決定に基づいており、また、
３）最後に登録された使用の後に次の使用が予想される時点の予測に基づいている。
【０１０５】
措置３）は、最後に登録された使用と、予想される次の使用との間の時間間隔の予測に一致する。この予測時間間隔の逆数値は、最後に登録された使用の直後に従う時間期間中の使用頻度に関する予測値と一致する。
【０１０６】
方法Ｂの実行時に、上記の措置１）から３）は、順次に実行され、引き続き繰り返される。もし措置３）で予測された時点までエレベータ１．１の更なる使用が確定されなければ、エレベータ１．１は使用可能でないと推定できる。方法Ｂによれば、この条件下で、試験を実施するためのコマンドが、装置３０．１によってエレベータ制御装置１５．１に与えられ、エレベータ１．１が予想に対応する反応を示すかどうかが検査される。
【０１０７】
図５は、方法ステップＳ２０からＳ３３を有する流れ図の形で、方法Ｂのステップを示す。
【０１０８】
方法ステップＳ２０で、装置３０．１は初期化される。プロセッサＰ１は、内部カウンタｉをｉ＝１に設定し、内部クロックを時刻ｔ＝ｔ０（ｉ）に設定する。プログラムＰ１．１の実行が開始される。その後、方法ステップＳ２１が続く。
【０１０９】
方法ステップＳ２１では、ｔ０（ｉ）≦ｔ≦ｔｅ（ｉ）として、時間期間ΔＴ（ｉ）が確定される。継続時間の逆数値は、時間期間ΔＴ（ｉ）中の使用頻度に関する予測値Ｎｓ（ｉ）と見なすことができる、すなわちＮｓ（ｉ）＝１／［ｔｅ（ｉ）−ｔ０（ｉ）］である。方法ステップＳ２０よる方法の初期化（ｉ＝１）時に、時間期間ΔＴ（ｉ）は、特に本方法の開始時の装置が、エレベータ１．１の使用に関する如何なるデータも持っていないので、所望に応じて予め決定できる。したがって上記の大きさＮｓ（ｉ）は、本方法の開始時における、使用頻度に関する測定値からの如何なるサイズの偏移でも示すことができる。
【０１１０】
これに続く方法ステップＳ２２では、時間期間ΔＴ（ｉ）中にエレベータの使用が発生するかどうかが検査される。もしこの時間期間の終了までに、すなわち時点ｔｅ（ｉ）前にエレベータの使用が起きなければ、方法ステップＳ２４が続く。もし時点ｔｅ（ｉ）までに使用が発生すれば、使用の時点ｔＢが登録されて、方法ステップＳ３０が続く。
【０１１１】
方法ステップＳ２４では、エレベータ１．１の試験を実施するためのコマンドが、エレベータ制御装置１５．１に与えられる（時点ｔＴにおいて）。引き続いて方法ステップＳ２５が続く。
【０１１２】
方法ステップＳ２５で、エレベータ１．１の反応Ｒが登録される。
【０１１３】
引き続いて方法ステップＳ２６で、反応Ｒは、所望の反応Ｒｓと比較される。もし反応Ｒが所望の反応Ｒｓと一致しなければ、エレベータ１．１は使用可能でないと想定できる。この場合、方法ステップＳ２７に続くことができる（経路−）。もし反応Ｒが所望の反応Ｒｓと一致すれば、エレベータ１．１は使用可能であると想定できる。この場合、開始点は、方法ステップＳ２１にしたがって確定された予測値Ｎｓ（ｉ）が、実際の運転時における使用頻度と比較して大き過ぎるということであり得る。本方法は、方法ステップＳ２８に続くことができる（経路＋）。
【０１１４】
方法ステップＳ２７では、エレベータ１．１が使用可能でないことが監視センタ５０に伝達される。この後、本方法は中断される。もしエレベータ１．１がまだ使用可能であれば、本方法は、方法ステップＳ２０から続行できる。
【０１１５】
方法ステップＳ２８、方法ステップＳ２６によれば、使用頻度に関する予測値Ｎｓ（ｉ）が、実際の運転時におけるエレベータの使用頻度と比較して大きすぎるという仮定には理由がある。使用頻度に関する現実の予測値は、上記の値Ｎｓ（ｉ）より係数ａ＜１だけ小さいであろうということが仮定されている。この仮定は、これに続く反復ステップで検査される。ｔ０（ｉ＋１）≦ｔ≦ｔｅ（ｉ＋１）として、時間期間ΔＴ（ｉ）に続く時間期間ΔＴ（ｉ＋１）の開始と終了が初めに確定される。時間期間ΔＴ（ｉ＋１）の開始は、方法ステップＳ２４による試験の時点ｔＴに設定され、時間期間ΔＴ（ｉ＋１）の終了は、使用頻度に関する現実の値が、大きさ「ａＮｓ（ｉ）」によって与えられるという仮定にしたがって決定される。
ｔ０（ｉ＋１）＝ｔＴ
ｔｅ（ｉ＋１）＝ｔ０（ｉ＋１）＋１／［ａＮｓ（ｉ）］
【０１１６】
この後、本方法は方法ステップＳ３３に続く。
【０１１７】
方法ステップＳ３０では、使用の時点ｔＢが、時間期間ΔＴ（ｉ）の終了における継続時間δｔの時間間隔内にあるかどうかが検査される、すなわち条件ｔｅ（ｉ）−δｔ≦ｔＢ≦ｔｅ（ｉ）が満たされるかどうかが検査される。もし満たされれば、本方法は、方法ステップＳ３１に続く（経路＋）。もし満たされなければ、方法ステップＳ３２に続く（経路−）。継続時間δｔは、時間期間ΔＴ（ｉ）の継続時間に応じて、例えばδｔが、差分ｔｅ（ｉ）−ｔ０（ｉ）の特定の分数より常に小さいような仕方で変化し得る。このことは、反復の途中で、例えばエレベータの使用頻度が時間の途中で急激に変化するときに、変化した条件への本方法の動的な適応に導く。
【０１１８】
方法ステップＳ３１では、使用頻度に関する方法ステップＳ２１で指定された予測値Ｎｓ（ｉ）が、実際の運転時におけるエレベータの使用頻度に一致することが仮定されている。この仮定は、次の反復ステップで検査される。ｔ０（ｉ＋１）≦ｔ≦ｔｅ（ｉ＋１）として、最初に時間期間ΔＴ（ｉ）に続く時間期間ΔＴ（ｉ＋１）の開始と終了が確定される。時間期間ΔＴ（ｉ＋１）の開始は、方法ステップＳ２２による最後に登録された使用の時点ｔＢに設定され、時間期間ΔＴ（ｉ＋１）の終了は、使用頻度に関する現実の値が、大きさＮｓ（ｉ）によって与えられるという仮定にしたがって決定される。
ｔ０（ｉ＋１）＝ｔＢ
ｔｅ（ｉ＋１）＝ｔ０（ｉ＋１）＋１／Ｎｓ（ｉ）
【０１１９】
この後、本方法は、方法ステップＳ３３に続く。
【０１２０】
方法ステップＳ３２では、使用頻度に関する予測値Ｎｓ（ｉ）は、実際の運転時におけるエレベータの使用頻度と比較して小さすぎることが仮定されている。この仮定は、次の反復ステップで検査される。ｔ０（ｉ＋１）≦ｔ≦ｔｅ（ｉ＋１）として、時間期間ΔＴ（ｉ）に続く時間期間ΔＴ（ｉ＋１）の開始と終了が最初に確定される。時間期間ΔＴ（ｉ＋１）の開始は、方法ステップＳ２２による最後に登録された使用の時点ｔＢに設定され、時間期間ΔＴ（ｉ＋１）の終了は、ここでｂ＞１、
ｔ０（ｉ＋１）＝ｔＢ
ｔｅ（ｉ＋１）＝ｔ０（ｉ＋１）＋１／［ｂＮｓ（ｉ）］
として使用頻度に関する現実値が、大きさ「ｂＮｓ（ｉ）」によって与えられるという仮定にしたがって決定される。
【０１２１】
この後、本方法は方法ステップＳ３３に続く。
【０１２２】
方法ステップＳ３３で、インデックスｉは、１だけ増やされる。引き続いて、方法ステップＳ２１からの前述のステップが繰り返される。
【０１２３】
パラメータδｔ、ａ、ｂの適当な選択により、大きさＮｓ（ｉ）は、方法ステップＳ２１からＳ３３の繰り返しの使用によって、実際の運転時のエレベータの使用頻度に向かって多少とも迅速に収束する。時間の関数として使用頻度の急激な変化は、方法ステップＳ２１からＳ３２の実行中に迅速に認識され得る。方法ステップＳ２４による試験は、次の予想される使用が、予期しないほど長い時間現れないときにのみ行われる（方法ステップＳ２２）。
【０１２４】
方法Ｂの更なる利点は、各反復ステップで、プロセッサＰ１が、ほんの僅かな量のデータを考慮すればよいことに見られる。すなわち一反復ステップで、単に三個の異なる時点（方法ステップＳ２１による時間期間ΔＴ（ｉ）の開始と終了と、最後の使用の時点ＴＢ）を考慮すればよいことに見られる。更に方法ステップＡに対比して、長時間に亘る使用の統計データを検出して記憶する必要がない。したがって方法Ｂを実行するために、より小さなメモリ空間が必要とされる（これは、装置３０のメモリＭ１２、Ｍ１３、Ｍ２２、およびＭ２３に関係する）。更にプロセッサは、より少ない計算時間を必要とする。
【０１２５】
方法Ｂは、予め決められた時間間隔、例えばエレベータ１．１が使用されないか、ほとんど使用されない、例えば夜間に、方法ステップＳ２４による試験が実施されないように構成できる。
【０１２６】
方法Ｃ
エレベータ設備１のエレベータ１．１および１．２は、また、グループ制御を有するエレベータグループとして運転できる。グループ制御の実現のために、エレベータ制御装置１５．１および１５．２は、通信接続１８を介して互いに通信できることが前提とされる。
【０１２７】
前述のように、エレベータ１．１の使用可能性を検査するための装置３０．１およびエレベータ１．２の使用可能性を検査するための装置３０．２は、互いに協働するように構成される。この目的のために、プロセッサＰ１とプロセッサＰ２との間に、通信接続３５が設けられる（図２）。プロセッサＰ１およびＰ２は、通信接続３５を介してデータを交換できる。
【０１２８】
装置３０．１は、運転時に、エレベータ１．１の使用だけを登録でき、このエレベータの使用頻度に関する予測値Ｎｓ（１）と測定値Ｎｍ（１）とを確認して、これらの値をメモリＭ１２およびＭ１３に格納する。
【０１２９】
これに対応して、装置３０．２は、運転時に、エレベータ１．２の使用だけを登録でき、このエレベータの使用頻度に関する予測値Ｎｓ（２）と測定値Ｎｍ（２）とを確認して、これらの値をメモリＭ２２およびＭ２３に格納する。
【０１３０】
装置３０．１および３０．２の協働は、エレベータ１．１および１．２に関するグループ制御の場合の装置３０の機能範囲を拡張する。
【０１３１】
一方では、エレベータ１．１に関して確認される、使用頻度に関する予測値Ｎｓ（１）と測定値Ｎｍ（１）は、方法ＡおよびＢのいずれかにしたがって、装置３０．１によって評価される。この場合、試験を実施するためのコマンドが、エレベータ制御装置１５．１に与えられるべきかどうかの決定は、エレベータ１．２の使用に関するデータには応じない。
【０１３２】
同じくエレベータ１．２に関して確認される、使用頻度に関する予測値Ｎｓ（２）と測定値Ｎｍ（２）は、方法ＡおよびＢのいずれかにしたがって、装置３０．２によって評価される。この場合、試験を実施するためのコマンドが、エレベータ制御装置１５．２に与えられるべきかどうかの決定は、エレベータ１．１の使用に関するデータには応じない。
【０１３３】
一般に、あるエレベータグループのすべてのエレベータは、これらの輸送容量に応じて均等に負荷がかけられる。したがってエレベータが使用可能である限り、同じ頻度で（統計的平均値で）同じ容量のエレベータが使用されるべきである。
【０１３４】
したがって、エレベータ１．１の試験を実施するためのコマンドが与えられるべきかどうかの決定時に、本発明による方法の範囲で、エレベータ１．１の使用可能性を検査するために、エレベータ１．２の使用頻度に関する測定値をも含むことが提案される。これに対応して、本発明による方法の範囲で、エレベータ１．２の使用可能性を検査するために、エレベータ１．１の使用頻度に関する値も含まれ得る。
【０１３５】
もしエレベータ１．１の使用頻度に関する測定値Ｎｍ（１）が、エレベータ１．２の使用頻度に関する測定値Ｎｍ（２）より実質的に小さければ、これは、エレベータ１．１が使用可能でないという仮定の理由になり得る。これは、装置３０．１が、測定値Ｎｍ（１）とＮｍ（２）とを比較し、もし測定値Ｎｍ（１）が、測定値Ｎｍ（２）よりも予め決められた量だけ小さければ、エレベータ１．１の試験を実施するためのコマンドをエレベータ制御装置１５．１に与えるということにおいて、装置３０を用いて検査できる。同じことは、エレベータ１．２の使用可能性を検査することに適用される。
【０１３６】
方法Ｃは、この方法の一般化において、下記のステップを含む。
・  数台のエレベータを有するエレベータ設備では、複数のエレベータの使用頻度に関する測定値が決定される。
・  もしこれらのエレベータのうちの１台の使用頻度の測定値が、その他のエレベータの使用頻度に関する測定値の平均値より、予め決められた量だけ小さければ、このエレベータ設備の少なくとも一つの試験を実施するためのコマンドが与えられる。
・  その後、エレベータ設備の反応が登録されて、所望の反応と比較される。
【０１３７】
この方法の変形では、このコマンドは、所望の反応が、１台のエレベータの状態の変化を含むように選択されることが前提とされる。状態変化は、自動的に登録できる。この試験は、例えば階呼出しおよび／またはケージ呼出しを含むことができる。
【図面の簡単な説明】
【０１３８】
【図１】２台のエレベータを有するエレベータ設備と、エレベータ設備の使用可能性の自動検査のための本発明による装置とを示す図である。
【図２】図１にしたがう本発明による装置を詳細に示す図である。
【図３】種々の時間期間中の時間の関数としてのエレベータの使用頻度に関する予測値および測定値の経路を示す図である。
【図４】図３による予測値および測定値で使用可能である、本発明による方法の実施の一形態のための流れ図である。
【図５】本発明による方法の実施の更なる一形態のための流れ図である。
【符号の説明】
【０１３９】
１  エレベータ設備
１．１、１．２  エレベータ
２．１、２．２  昇降路
３．１、３．２、３．３、３．４、３．５、３．６  階
４．１、４．２、４．３、４．４、４．５、４．６  昇降路ドア
５．１、５．２  ケージ
６．１、６．２  ケージドア
７．１、７．２  釣合い重り
８．１、８．２  支持手段
１０．１、１０．２  駆動装置
１５．１、１５．２  エレベータ制御装置
１６．１、１６．２、１７．１、１７．２、１８、４１．１、４１．２、４２．１、４２．２、４３  通信接続
２１．１、２１．２、２１．３、２１．４、２１．５、２１．６、２２．１、２２．２、２４．１、２４．２、２５．１、２５．２、２６．１、２６．２、２７．１、２７．２、２８．１、２８．２、３０、３０．１、３０、２  装置
２３．１、２３．２  符号化手段
３１．１、３１．２、３２．１、３２．２、３３、３５  通信インタフェース
５０  監視センタ
Ｐ１、Ｐ２  プロセッサ
Ｐ１．１、Ｐ１．２  プログラム
Ｍ１１、Ｍ１２、Ｍ１３、Ｍ１４、Ｍ２１、Ｍ２２、Ｍ２３、Ｍ２４  メモリ
【図１】
0004757506.tif 000002
【図２】
0004757506.tif 000003
【図３】
0004757506.tif 000004
【図４】
0004757506.tif 000005
【図５】
0004757506.tif 000006